(57)【要約】      （修正有）【課題】室内で簡易トイレを使用する人は、多くは介護を要するお年寄りや障害者であるが、排便時に気持ちを楽しくしたり和らげてくれる。【解決手段】便座２の先端部に下方へ向けて作動ロッド４および復帰用のスプリング３を取付けると共に、トイレ本体５に便座２を倒した時に作動ロッド４が貫通する貫通孔１１を設ける。一方、トイレ本体５の内部の便容器６より前にある空間内には、ラジカセ１２を含む音楽装置を配設する。便座２に人が座ったとき、作動ロッド４が下方に進出し、その力が音楽装置に伝達され、それを作動させる。引出しレバー９は、作動ロッド４の力を音楽装置に伝達したりしなかったりするためのものである。回動レバー８は、ラジカセ１２のテープを巻き戻すためのものである。【選択図】図１
0003138074.tif 000002
【実用新案登録請求の範囲】
【請求項１】
少なくともトイレ本体（５）と、便座（２）と、該トイレ本体（５）内に独立して持ち運び可能に装備された便容器（６）とを具え、室内で容易に移動可能な簡易トイレにおいて、
前記便座（２）の先端部に下方へ向けて作動ロッド（４）およびそれを取り囲むように復帰用のスプリング（３）を取付けると共に、前記トイレ本体（５）に前記便座（２）を倒した時に該作動ロッド（４）が貫通する貫通孔（１１）を設け、
前記トイレ本体（５）の内部空間であって前記便容器（６）より前にある空間内にラジカセ（１２）を含む音楽装置を配設し、
前記便座（２）に押圧力が加えられた時に前記作動ロッド（４）に伝達される力を利用して該音楽装置を作動させるようにした
ことを特徴とする簡易トイレ。
【請求項２】
少なくともトイレ本体（５）と、便座（２）と、該トイレ本体（５）内に独立して持ち運び可能に装備された便容器（６）とを具え、室内で容易に移動可能な簡易トイレにおいて、
前記便座（２）の先端部に下方へ向けて作動ロッド（４）およびそれを取り囲むように復帰用のスプリング（３）を取付けると共に、前記トイレ本体（５）に前記便座（２）を倒した時に該作動ロッド（４）が貫通する貫通孔（１１）を設け、
前記トイレ本体（５）の内部空間であって前記便容器（６）より前にある空間内にラジカセ（１２）を含む音楽装置を配設する構成とし、その音楽装置の構成を
前記トイレ本体（５）の外部へ通じるようされた引出しレバー（９）により回動され、前記便座（２）が下方へ押圧されたときの前記作動ロッド（４）が下方へ進出する力を受けたり外したりする作動力受板（１５）と、
前記トイレ本体（５）の内側の前部に固着された固定用基体（１７）と、
該作動力受板（１５）の回動中心体であって、該固定用基体（１７）に遊動自在に貫通された作動力伝達ピン（１４）と、
該作動力伝達ピン（１４）の周囲に設けられ、前記作動力受板（１５）と前記固定用基体（１７）との間に介在されている復帰用のスプリング（１６）と、
前記固定用基体（１７）に上端が固着された支持体（１８）の下端に揺動中心ピン（２２）を中心に上下に揺動するよう取り付けられた揺動体（２０）と、
前記作動力伝達ピン（１４）の下端と該揺動体（２０）とを連結する連結片（１９）と、
前記揺動体（２０）に下方へ突出するよう設けられた凸部（２０Ａ）と、
前記トイレ本体（５）の前部外側に設けられた回動レバー（８）に一端が固着され、他端が前記揺動体（２０）に回動自在に取り付けられた回動中心ピン（２４）と、
該回動中心ピン（２４）に基部が固着された回動片（２３）と、
前記トイレ本体（５）の内側前部の底部に支持体により固定されたラジカセ（１２）と
を具えた構成とし、
前記便座（２）に押圧力がかかったとき前記作動ロッド（４）の力を作動力受板（１５）が受けるよう前記引出しレバー（９）が操作されていれば、揺動体（２０）が揺動し前記凸部（２０Ａ）が前記ラジカセ（１２）の再生ボタン（１２Ｂ）を押して音楽を再生し、受けないよう操作されていれば揺動体（２０）は揺動せず再生しないようにすると共に、前記回動レバー（８）を回動したときは前記ラジカセ（１２）の巻戻しボタン（１２Ｃ）を押して巻戻しを行うよう作動させる
ことを特徴とする簡易トイレ。
【考案の詳細な説明】
【技術分野】
【０００１】
本考案は、ラジカセを主要部とする音楽装置を内蔵し、トイレ使用時に音楽が楽しめるようにした簡易トイレに関するものである。
【背景技術】
【０００２】
日本も高齢化時代を迎え、高齢者を介護している家庭が急激に増加している。また、高齢でなくともさまざまな理由で介護を要する家族をかかえている家庭もある。そのような家庭では、家のトイレまで行って用を足すのが困難となった者のために、しばしば床や畳の上に置いて使用できる簡易トイレが用いられている。
【０００３】
例えば、要介護者のベッドの脇に置いておき、便意を催して来ればベッドから下りて使用する。家のトイレまで行くのは大変だが、ベッドから下りる程度のことは出来る者にしてみれば、いちいち他人の手を煩わすことなく用が足せるので、心理的にも大変楽である。なお、簡易トイレの内部には便を溜める容器（便容器）が着脱自在に入れてあり、後で家人がその容器を家のトイレに運んで便を捨てる。
【０００４】
上記のような簡易トイレは、全体をプラスチックで作って軽くし、持ち運びが楽になるようにしたものが広く普及している。しかし、中には、室内に置いておいても全く違和感がないよう、外観上は立派な椅子の形をしているものもある。このようなものでは、座席シートの部分が開閉式にされており、回動して開くと、その中に便器が内蔵されている。      
【特許文献１】特開平１１−００９５００号公報
【考案の開示】
【考案が解決しようとする課題】
【０００５】
室内で前記のような簡易トイレを使用する人は、多くは介護を要するお年寄りであったり障害者である。このような人達は、戸外へ出て活動するということがままならないため、その１日は、主として、ベッドで寝たり起きたりすること、食べること、排便することによって過ごされることになる。これらの繰り返しでは、生活があまりに味気なく気が滅入るばかりである。
【０００６】
ただ、ベッドでの寝たり起きたりは、時折ふとんやシーツを変えてもらうことにより、いくらか気分を変えることも出来る。食事も献立をいろいろに変えてもらうことにより、楽しみも出て来る。
しかし、排便時だけは、ただ簡易トイレに座っているだけであるから、気持ちを楽しくしてくれることは何もない。
本考案は、このような問題点を解決することを課題とするものである。
【課題を解決するための手段】
【０００７】
前記課題を解決するため、本考案では、少なくともトイレ本体と、便座と、該トイレ本体内に独立して持ち運び可能に装備された便容器とを具え、室内で容易に移動可能な簡易トイレにおいて、前記便座の先端部に下方へ向けて作動ロッドおよびそれを取り囲むように復帰用のスプリングを取付けると共に、前記トイレ本体に前記便座を倒した時に該作動ロッドが貫通する貫通孔を設け、前記トイレ本体の内部空間であって前記便容器より前にある空間内にラジカセを含む音楽装置を配設する構成とした。そして、前記便座に押圧力が加えられた時に前記作動ロッドに伝達される力を利用して該音楽装置を作動させることとした。
【０００８】
そして、前記音楽装置の代表的な構成としては次のようなものとした。即ち、前記トイレ本体の外部へ通じるようされた引出しレバーにより回動され、前記便座が下方へ押圧されたときの前記作動ロッドが下方へ進出する力を受けたり外したりする作動力受板と、前記トイレ本体の内側の前部に固着された固定用基体と、該作動力受板の回動中心体であって、該固定用基体に遊動自在に貫通された作動力伝達ピンと、該作動力伝達ピンの周囲に設けられ、前記作動力受板と前記固定用基体との間に介在されている復帰用のスプリングと、前記固定用基体に上端が固着された支持体の下端に揺動中心ピンを中心に上下に揺動するよう取り付けられた揺動体と、前記作動力伝達ピンの下端と該揺動体とを連結する連結片と、前記揺動体に下方へ突出するよう設けられた凸部と、前記トイレ本体の前部外側に設けられた回動レバーに一端が固着され、他端が前記揺動体に回動自在に取り付けられた回動中心ピンと、該回動中心ピンに基部が固着された回動片と、前記トイレ本体の内側前部の底部に支持体により固定されたラジカセとを具えた構成とした。
【０００９】
この音楽装置は、人が便座に座ったり立ったりすること、および前記トイレ本体の内部へ通ずるレバーにより、次のようにして行われる。即ち、前記便座に押圧力がかかったとき前記作動ロッドの力を作動力受板が受けるよう前記引出しレバーが操作されていれば、揺動体が揺動し前記凸部が前記ラジカセの再生ボタンを押して音楽を再生し、受けないよう操作されていれば揺動体は揺動せず再生しないようにすると共に、前記回動レバーを回動したときは前記ラジカセの巻戻しボタンを押して巻戻しを行うよう作動させる。
【考案の効果】
【００１０】
本考案の簡易トイレによれば、便座に腰を下ろせば自動的にラジカセで音楽を再生することが出来るので、お気に入りの曲を聞きながら、排便の時間を楽しく過ごすことが出来るようになる。また、音楽を聞く気がないときには、所定のレバーを操作して、再生しないようにすることも出来る。
【考案を実施するための最良の形態】
【００１１】
以下、本考案の実施形態を図面に基づいて詳細に説明する。
図１は、本考案の簡易トイレを示す図である。図１において、１はふた、２は便座、３はスプリング、４は作動ロッド、５はトイレ本体、６は便容器、７は把手、８は回動レバー、９は引出しレバー、１０は細孔、１１は貫通孔、１２はラジカセである。そして、図１（１）は簡易トイレを前方斜め上方から見た図であり（ふた１と便座２を開いた状態）、図１（２）はトイレ本体５の前よりの部分を上方から見た図であり、図１（３）は簡易トイレを側方から見た図である。
【００１２】
図１（１）（３）に示されているように、トイレ本体５の前方には回動レバー８が設けられ、側方（図の例の場合、座った人の左側）に引出しレバー９が設けられている。回動レバー８は回動させて操作し、引出しレバー９は直線的に引き出したり押し込んだりして操作する。回動レバー８の回動軸および引出しレバー９は、いずれもトイレ本体５に開けられた穴を通って、内部へと通じている。これらのレバーの役割については後で詳しく説明する。
トイレ本体５の内部の中央には、便容器６が載置されており、便を捨てるときには把手７を持ってトイレに運び、そこへ捨てる。また、図１（３）に示すように、音楽を再生するラジカセ１２は、トイレ本体５の内部前方の隙間に配設する。ここには、通常、小型のラジカセを配設し得るだけの隙間が存在している。トイレ本体５の前方に開けられた細孔１０は、ラジカセ１２の音楽が外へ聞こえ易くするためのものである。
【００１３】
便座２の先端には下向きに棒状の作動ロッド４を設け、その根元から中間部分までを取り囲むように元の位置へ復帰するためのスプリング３を設けておく。他方、トイレ本体５の前方上面には、図１（２）に示すように、作動ロッド４が貫通する貫通孔１１を設けておく。その位置は、便座２を閉じたとき、作動ロッド４が降下して来る真下の位置とする。
その結果、ただ便座２を閉じているだけの場合には、作動ロッド４は貫通孔１１に貫通するものの、スプリング３の弾発力により便座２が少し上方へ支えられているので、作動ロッド４は先端の一部のみ貫通しているだけの状態となっている。
しかし、便座２に人が腰を下ろすと、腰の重みでスプリング３が完全に圧縮され、その分、作動ロッド４は下方へ進出することになる。この下方への進出により、ラジカセ１２の操作が行われる。腰を上げるとスプリング３の弾発力で便座２および作動ロッド４は、元の位置へ復帰する。以下、図２以降で構成，動作を説明する。
【００１４】
図２は、トイレ本体の内部前方に配設した音楽装置を背後から見た図である。図３はこの音楽装置を前方から見た図である。なお、動作の理解を容易にするため、図３においては、トイレ本体５の外にある回動レバー８を点線で示した。符号は図１のものに対応し、１２Ａは録音ボタン、１２Ｂは再生ボタン、１２Ｃは巻戻しボタン、１２Ｄは早送りボタン、１２Ｅは停止ボタン、１３は取付ピン、１４は作動力伝達ピン、１５は作動力受板、１６はスプリング、１７は固定用基体、１８は支持体、１９は連結片、２０は揺動体、２０Ａは凸部、２１はスプリング、２２は揺動中心ピン、２３は回動片、２４は回動中心ピン、２５は支持基台、２６は支持バンド、２７は支持板である。
ラジカセ１２は、トイレ本体５に固定された支持基台２５の上に載置され、後方へ倒れないよう支持バンド２６あるいは支持板２７により支持されている。
【００１５】
図２は、便座２が単に閉じられている（人は腰を下ろしてない）状態である。便座２はスプリング３の弾発力のため少し上方へ持ち上げられているため、便座２に取り付けられている作動ロッド４は、それほど下方には進出していない。
作動ロッド４の下方に位置せしめられている作動力受板１５は、作動ロッド４が下方へ進出して来た時に、その力を受ける板である。作動力受板１５は、作動力伝達ピン１４に回動自在に取り付けられ、引出しレバー９の操作により回動可能とされている。
【００１６】
図６は、引出しレバーと作動力受板の動きを説明する図であり、作動力受板１５を上方から見下ろした図である。符号は図２のものに対応している。引出しレバー９は取付ピン１３により作動力受板１５に取り付けられおり、引出しレバー９を操作すると、作動力受板１５が作動力伝達ピン１４を中心として回動する。図６（１）は引出しレバー９が第１の位置にある時の状態を示しており、図６（２）は引出しレバー９が矢印方向に引かれた時の状態を示している。
図６（１）の状態とされている時に作動ロッド４が下方に進出されると、作動力受板１５はその力を受ける。しかし、図６（２）の状態とされている時に作動ロッド４が下方に進出しても、作動力受板１５はその力を受けない（空振り）。本考案では、引出しレバー９で作動力受板１５の位置を変えることにより、ラジカセを操作したいときには図６（１）の状態にし、操作したくないときには図６（２）の状態にする。
【００１７】
図２に戻って他の構成，動作について説明する。人が便座２に座ると、作動ロッド４が下方に進出して作動力受板１５を下方へ押す。すると、作動力伝達ピン１４も下方へ押される。作動力伝達ピン１４の回りに配設してあるスプリング１６は復帰用であり、作動ロッド４からの下方への力がなくなれば（即ち、人が便座２から腰を上げると）、作動力受板１５を元の位置へ復帰させる。
作動力伝達ピン１４は固定用基体１７を貫通して下方へ抜けており、その下端は連結片１９を介して揺動体２０と連結されている。揺動体２０は、固定用基体１７に上部が固着された支持体１８（固定用基体１７の前後の両側にあり）の下部に、揺動中心ピン２２により揺動可能に取り付けられている。
【００１８】
（再生と停止）
図４は、簡易トイレ内の音楽装置にて音声を再生する時の図である。
人が便座２に座り、作動力伝達ピン１４が下方へ押されると（図４参照）、その下端に付いている連結片１９も下方へ押される。すると、揺動体２０は、揺動中心ピン２２を中心として連結片１９が付いている側が、下方へ回動される。
揺動体２０の下部には凸部２０Ａが設けられており、その位置は、連結片１９のある側が下方へ回動した際、ラジカセ１２の再生ボタン１２Ｂを押すような位置に選定されている。従って、揺動体２０の連結片１９のある側が下方へ回動すると、凸部２０Ａが再生ボタン１２Ｂを押して、音楽の再生が始まる。
【００１９】
なお、凸部２０Ａが再生ボタン１２Ｂを押す場合、最後までは押し切らないようにしておく。そうしておくと、凸部２０Ａが上方へ復帰したとき、再生ボタン１２Ｂは自然に元の位置へ復帰するからである（そして音楽の再生は停止する）。最後まで押し切ってしまうと、凸部２０Ａが上方へ復帰しても再生ボタン１２Ｂは押されたままの位置を保ち、自然には復帰しない（従って、音楽の再生は続く）。復帰させるには停止ボタン１２Ｅを押すという操作を、別途行う必要がある。これでは面倒であるので、最後までは押し切らないようにしておくのである。
【００２０】
人が便座２から立ち上がり作動ロッド４を下方へ押す力がなくなると、作動力伝達ピン１４を下方へ押す力もなくなる。すると、前記スプリング１６の弾発力により作動力伝達ピン１４が上方へ復帰するので、それと連結されている揺動体２０も引き上げられ、元の位置へ復帰する。その結果、再生ボタン１２Ｂを押していた凸部２０Ａが上方へ離れ、再生ボタン１２Ｂは元の位置へ復帰し、音楽の再生は停止する。
なお、揺動体２０の先端下部に設けられているスプリング２１は、揺動体２０の先端がラジカセ１２に接触する場合、その接触をやわらげるためのものであり、必要に応じて設けられる。
【００２１】
（テープの巻戻し）
次に図１，図３に出て来た回動片２３について説明する。これは、ラジカセ１２の巻戻しボタン１２Ｃを押すために設けられている。回動片２３の基部は、揺動体２０の適宜箇所（図示の例では揺動体２０の端部）に設けられた回動中心ピン２４に固着されている。その回動中心ピン２４は、トイレ本体５の外の回動レバー８に連結されている。つまり、回動レバー８を回すことにより、回動中心ピン２４は回動される。一方、回動片２３の先端は、回動片２３が回動された場合、巻戻しボタン１２Ｃを押すような位置となるよう設計しておく。
図５は、簡易トイレ内の音楽装置にて巻戻しをする時の図であるが、巻戻しをしたいときには回動レバー８を矢印のように回す。すると回動中心ピン２４が回動し、それと連結されている回動片２３も回動する。回動片２３の先端が巻戻しボタン１２Ｃを押し、巻戻しが行われる。なお、巻戻しボタン１２Ｃを押す場合も、再生ボタン１２Ｂについて述べたのと同様の理由により、最後までは押し切らないようにする。回動レバー８を元に戻すと、巻戻しは停止される。
【００２２】
以上のような本考案の簡易トイレは、人が便座２に座れば自動的に音楽が流れ始め、便座２から立ち上がると自動的に停止するという音楽演奏付きの簡易トイレとなり、排便の時間を楽しく過ごすことを可能にしてくれる。音楽を聞く気持ちになれない場合には、引出しレバー９を操作して、作動ロッド４の下方への力を作動力受板１５が受けないようにすれば、音楽が流れることはない。
また、テープを巻戻したい場合には、トイレ本体５の前に付いている回動レバー８を操作して巻き戻すことが出来る。
【図面の簡単な説明】
【００２３】
【図１】本考案の簡易トイレを示す図
【図２】簡易トイレ内の音楽装置を背後から見た図
【図３】簡易トイレ内の音楽装置を正面から見た図
【図４】簡易トイレ内の音楽装置にて音声を再生する時の図
【図５】簡易トイレ内の音楽装置にて巻戻しをする時の図
【図６】引出しレバーと作動力受板の動きを説明する図
【符号の説明】
【００２４】
１…ふた、２…便座、３…スプリング、４…作動ロッド、５…トイレ本体、６…便容器、７…把手、８…回動レバー、９…引出しレバー、１０…細孔、１１…貫通孔、１２…ラジカセ、１２Ａ…録音ボタン、１２Ｂ…再生ボタン、１２Ｃ…巻戻しボタン、１２Ｄ…早送りボタン、１２Ｅ…停止ボタン、１３…取付ピン、１４…作動力伝達ピン、１５…作動力受板、１６…スプリング、１７…固定用基体、１８…支持体、１９…連結片、２０…揺動体、２０Ａ…凸部、２１…スプリング、２２…揺動中心ピン、２３…回動片、２４…回動中心ピン、２５…支持基台、２６…支持バンド、２７…支持板
【図１】
0003138074.tif 000003
【図２】
0003138074.tif 000004
【図３】
0003138074.tif 000005
【図４】
0003138074.tif 000006
【図５】
0003138074.tif 000007
【図６】
0003138074.tif 000008